(57)【要約】      （修正有）【課題】歯磨き効果に優れた歯ブラシであって、特に歯ブラシの柄の部分がフレキシブルに曲がるフレキシブル歯ブラシを提供する。【解決手段】刷毛５が植毛されたブラシ部２と、このブラシ部２に頸部４を介して接続された把柄部３と、頸部４に内装されたフレキシブルな保持部材６と、この保持部材６をフレキシブルに変形させ、把柄部３に対して所定角度を有するブラシ部２を備え、口の中の歯の隅々まで磨くことができ、腕や肘を大きく動かすことなく奥歯の裏側や歯と歯の間等の歯磨きし難い個所を容易に磨くことができる。【選択図】図１
0003211846.tif 000002
【実用新案登録請求の範囲】
【請求項１】
刷毛が植毛されたブラシ部と、
該ブラシ部に頸部を介して接続された把柄部と、
前記頸部に内装されたフレキシブルな保持部材と、
該保持部材をフレキシブルに変形させ、前記把柄部に対して所定角度を有するブラシ部  を備えたことを特徴とするフレキシブル歯ブラシ。
【請求項２】
前記把柄部に対するブラシ部の角度は、３０度、又は６０度、又は９０度であることを特徴とする請求項１に記載のフレキシブル歯ブラシ。
【請求項３】
前記把柄部に対するブラシ部の角度は、前記ブラシ部に対して外側に３０度、又は６０度、又は９０度であることを特徴とする請求項１に記載のフレキシブル歯ブラシ。
【請求項４】
刷毛が植毛されたブラシ部と、
孔部を備え、前記ブラシ部とは別体の把柄部と、
前記ブラシ部に取り付けられ、前記把柄部の孔部に圧入する固定部材と、
を備えたことを特徴とする歯ブラシ。
【請求項５】
前記ブラシ部に取り付けられた固定部材は、鉤状であることを特徴とする請求項４に記載の歯ブラシ。
【考案の詳細な説明】
【技術分野】
【０００１】
本考案は歯磨き効果に優れた歯ブラシに関し、特に歯ブラシの柄の部分がフレキシブルに曲がるフレキシブル歯ブラシに関する。
【背景技術】
【０００２】
従来、一般に使用されている歯ブラシは、楕円状台平面にブラシ毛を植毛したブラシ部とグリップする丈夫な柄のハンドル部が一つの台に連なり直線状に構成されており、その種類には各種のものが市販されているが、略類似した形状である。そして、例えばブラシ面は隙間が無いほど毛束が密に植毛され、柄は太く長く丈夫に作られ、柄のハンドル部分を握り、ブラシ束を歯面に当てて歯磨きを行っている。
【０００３】
また、今日の歯ブラシは朝夕の挨拶代わりに使う小道具化し、歯を守る大切な用具であることが疎んじられる傾向があり、歯ブラシの良し悪しや、使い方の良し悪しについて疑問や関心を持つ人は少ない。
【０００４】
一方、特許文献１は千差万別である各個人の歯や歯茎の状態に合わせ、ヘッド部に植毛する剛毛の状態を能動的に変えることができる歯ブラシを提案する。
【先行技術文献】
【特許文献】
【０００５】
【特許文献１】特開２００９−２４０７４６号公報
【考案の概要】
【考案が解決しようとする課題】
【０００６】
しかしながら、従来の歯ブラシは基本的にブラシ毛を植毛したブラシ部と柄の部分が一体となった直線状の用具であり、歯磨きの際には肩や肘を上下左右に激しく動かし、ブラシ束を歯面に当てることが必要である。また、ブラシ束を歯面に当てる為、肩や肘のみではなく、顔も左右に動かし歯磨きを行っている。この為、従来の歯磨きでは、毛束の先を歯間や歯周に当て細かく丁寧に磨くことより、大雑把にゴシゴシと磨く習慣が定着している。
【０００７】
そこで、本考案は歯磨きの際、毛束の先を歯間や歯周に当て、細かく丁寧に磨くことが容易に可能であり、歯を守る大切な健康維持用具としての機能を最大限発揮させることができるフレキシブル歯ブラシを提案する。
【課題を解決するための手段】
【０００８】
本考案は上記課題を解決するため、刷毛が植毛されたブラシ部と、該ブラシ部に頸部を介して接続された把柄部と、上記頸部に内装されたフレキシブルな保持部材と、該保持部材をフレキシブルに変形させ、上記把柄部に対して所定角度を有するブラシ部を備えたフレキシブル歯ブラシを提供することによって達成できる。
【０００９】
上記把柄部に対するブラシ部の角度は、例えば３０度、又は６０度、又は９０度であることを特徴とする。また、前記把柄部に対して外側に３０度、又は６０度、又は９０度であることを特徴とする。
【００１０】
本考案は上記課題を解決するため、刷毛が植毛されたブラシ部と、孔部を備え、上記ブラシ部とは別体の把柄部と、上記ブラシ部に取り付けられ、把柄部の孔部に圧入する固定部材とを備えた歯ブラシを提供することによって達成できる。また、上記ブラシ部に取り付けられた固定部材は、鉤状であることを特徴とする。
【考案の効果】
【００１１】
本考案によれば、口の中の歯の隅々まで磨くことができ、腕や肘を大きく動かすことなく奥歯の裏側や歯と歯の間等の歯磨きし難い個所を容易に磨くことができる。
【図面の簡単な説明】
【００１２】
【図１】第１実施形態の歯ブラシの構造を説明する図であり、（ａ）は第１実施形態の歯ブラシの正面図であり、（ｂ）は第１実施形態の歯ブラシの側面図である。
【図２】第１実施形態の歯ブラシの例を示す図であり、（ａ）は把柄部に対してブラシ部を３０度傾けた状態の歯ブラシであり、（ｂ）は把柄部に対してブラシ部を６０度傾けた状態の歯ブラシであり、（ｃ）は把柄部に対してブラシ部を９０度（直角）に傾けた歯ブラシである。
【図３】第１実施形態の歯ブラシの例を示す図であり、（ａ）は把柄部に対してブラシ部を外側に３０度傾けた状態の歯ブラシであり、（ｂ）は把柄部に対してブラシ部を外側に６０度傾けた状態の歯ブラシであり、（ｃ）は把柄部に対してブラシ部を外側に９０度（直角）に傾けた歯ブラシである。
【図４】第２実施形態の歯ブラシの構造を説明する図であり、（ａ）は第２実施形態の歯ブラシの例を説明する図であり、（ｂ）は第２実施形態の歯ブラシの他の例を説明する図である。
【考案を実施するための最良の形態】
【００１３】
以下、本考案の実施の形態について図面を参照しながら説明する。
（第１の実施形態）
図１は本実施形態の歯ブラシの構造を説明する図であり、同図（ａ）は本実施形態の歯ブラシの正面図であり、同図（ｂ）はその側面図である。本例の歯ブラシ１は刷毛５が植毛されたブラシ部２、歯ブラシ１を手で握る把柄部３、及びブラシ部２と把柄部３とを繋ぐ頸部４で構成されている。
【００１４】
ブラシ部２と把柄部３を繋ぐ頸部４は熱可塑性ポリウレタン樹脂等の弾力性と耐摩耗性に優れた材料で構成され、内部に棒状の保持部材６が内装されている。この保持部材６は、所定の太さ（例えば、直径２ｍｍ程度）の金属製の棒状部材であり、所定の圧力で曲げることが可能であり、且つ曲げ等によって変形した状態を維持できる特性を備える。すなわち、本例の頸部４は弾性に優れ、必要な形状に変形された後、当該状態を維持することができる特徴を有する。
【００１５】
このような構成の歯ブラシ１を使用して歯磨きを行う際、歯ブラシ１を図２（ａ）〜（ｃ）の形状に設定して使用する。図２（ａ）は歯ブラシ１（１ａ）を把柄部３に対してブラシ部２を３０度傾けた状態で使用する場合である。また、同図（ｂ）は歯ブラシ１（１ｂ）を把柄部３に対してブラシ部２を６０度傾けた状態で使用する場合である。さらに、同図（ｃ）は歯ブラシ１（１ｃ）を把柄部３に対してブラシ部２を９０度（直角）に傾けて使用する場合である。
【００１６】
例えば、把柄部３に対してブラシ部２を３０度傾けた状態で歯ブラシ１ａを使用すれば、奥歯までブラシ部２の刷毛５をきちんと当てることができる。また、把柄部３に対してブラシ部２を６０度傾けた状態で歯ブラシ１ｂを使用すれば、奥歯の裏側までブラシ部３の刷毛５をきちんと当てることができる。さらに、握持部３に対してブラシ部２を直角に傾いた状態の歯ブラシ１ｃを使用することによって、腕や肘を大きく動かすことなく、例えば前歯の裏側や歯と歯の間を丁寧に磨くことができる。
【００１７】
以上のように、本例のフレキシブル歯ブラシ１ａ〜１ｃを使用することによって、歯の隅々まで丁寧に磨くことができる。また、腕や肘を大きく動かすことなく容易に磨き難い奥歯や歯と歯の間を丁寧に磨くことができる。また、柔らかめ、硬め等の刷毛５の材質を歯ブラシ１ａ〜１ｃの角度によって適当に選択することによって、歯磨きをより有効に行うことができる。
【００１８】
尚、上記説明では把柄部３に対してブラシ部２を内側に曲げた例を示したが、図３（ａ）〜（ｃ）に示すように、把柄部３に対してブラシ部２を外側に曲げた状態の歯ブラシ１ｄ〜１ｆを使用してもよい。このような形状の歯ブラシ１ｄ〜１ｆを使用することによっても、口の中の歯の隅々まで磨くことができ、腕や肘を大きく動かすことなく奥歯の裏側や歯と歯の間等の歯磨きし難い個所を容易に磨くことができる。
【００１９】
（第２の実施形態）
上記説明では頸部４をフレキシブルに変形できる歯ブラシ１ａ〜１ｆについて説明したが、以下のようにブラシ部２と把柄部３を別体とし、互いに接合して使用する歯ブラシであってもよい。以下、具体的に説明する。
【００２０】
図４はこのような構成の歯ブラシ７を説明する図である。同図（ａ）はブラシ部２ａが把柄部３ａ側に向いた状態の歯ブラシ７ａを示し、同図（ｂ）はブラシ部２ｂが外側に向いた状態の歯ブラシ７ｂを示す。
【００２１】
同図（ａ）の場合、ブラシ部２ａと把柄部３ａが別体であり、ブラシ部２ａには鍵状の固定部材８が取り付けられ、把柄部３ａに設けられた穴部９に勘合させる構成である。すなわち、把柄部３ａに対して矢印方向にブラシ部２ａを取り付け、把柄部３ａに対してブラシ部２ａが９０度傾いた状態の歯ブラシ７ａとする。この場合、固定部８は把柄部３ａに設けられた穴９に圧入され、ブラシ部２ａが把柄部３ａに固定される。
【００２２】
一方、同図（ｂ）の歯ブラシ７ｂについては、ブラシ部２ｂに鍵状の固定部材１０が取り付けられ、把柄部３ｂに設けられた穴部１１に勘合させる構成であり、把柄部３ｂに対して矢印方向にブラシ部２ｂを取り付け、把柄部３ｂに対してブラシ部２ｂが外側に９０度傾いた状態の歯ブラシ７ｂとする。この場合も、固定部１０はブラシ部２ｂに設けられた穴１１に圧入され、ブラシ部２ｂが把柄部３ｂに固定される。
【００２３】
尚、上記図４（ａ）、（ｂ）に示す例では、把柄部３ａ（３ｂ）に対してブラシ部２ａ（２ｂ）が９０度傾いた状態の歯ブラシ７ａ（７ｂ）としたが、ブラシ部２ａ又は２ｂの固定部材を３０°又は６０°に設定することによって対応する角度の歯ブラシを作成することができる。
【００２４】
このような歯ブラシ７ａ（７ｂ）を使用することによっても、口の中の歯の隅々まで磨くことができ、腕や肘を大きく動かすことなく奥歯の裏側や歯と歯の間等の歯磨きし難い個所を容易に磨くことができる。
【００２５】
尚、上記第１、第２の実施形態においては、把柄部３に対してブラシ部２を３０°、６０°、９０°（直角）の例について説明したが、当該角度に限定されるものではなく、例えば２０°や、４５°、８０°等の他の任意の角度に設定できることは勿論である。
【符号の説明】
【００２６】
１・・・歯ブラシ
２、２ａ、２ｂ・・ブラシ部
３、３ａ、３ｂ・・把柄部
４・・・頸部
５・・・刷毛
６・・・保持部材
７、７ａ、７ｂ・・歯ブラシ
８、１０・・固定部材
９、１１・・孔部
【図１】
0003211846.tif 000003
【図２】
0003211846.tif 000004
【図３】
0003211846.tif 000005
【図４】
0003211846.tif 000006
【手続補正書】
【提出日】平成29年5月28日(2017.5.28)
【手続補正１】
【補正対象書類名】実用新案登録請求の範囲
【補正対象項目名】全文
【補正方法】変更
【補正の内容】
【実用新案登録請求の範囲】
【請求項１】
刷毛が植毛されたブラシ部と、
該ブラシ部に頸部を介して接続された把柄部と、
前記頸部に内装されたフレキシブルな保持部材と、
該保持部材をフレキシブルに変形させ、前記把柄部に対して所定角度を有するブラシ部  を備えたことを特徴とするフレキシブル歯ブラシ。
【請求項２】
前記把柄部に対するブラシ部の角度は、３０度、又は６０度、又は９０度であることを特徴とする請求項１に記載のフレキシブル歯ブラシ。
【請求項３】
前記把柄部に対するブラシ部の角度は、前記ブラシ部に対して外側に３０度、又は６０度、又は９０度であることを特徴とする請求項１に記載のフレキシブル歯ブラシ。
【請求項４】
刷毛が植毛されたブラシ部と、
孔部を備え、前記ブラシ部とは別体の把柄部と、
前記ブラシ部に取り付けられ、前記把柄部の孔部に圧入する固定部材と、
を備えたことを特徴とする請求項１に記載のフレキシブル歯ブラシ。
【請求項５】
前記ブラシ部に取り付けられた固定部材は、鉤状であることを特徴とする請求項４に記載のフレキシブル歯ブラシ。
【手続補正書】
【提出日】平成29年6月8日(2017.6.8)
【手続補正１】
【補正対象書類名】実用新案登録請求の範囲
【補正対象項目名】全文
【補正方法】変更
【補正の内容】
【実用新案登録請求の範囲】
【請求項１】
刷毛が植毛されたブラシ部と、
該ブラシ部に頸部を介して接続された把柄部と、
前記頸部に内装されたフレキシブルな保持部材と、
該保持部材をフレキシブルに変形させ、前記把柄部に対して所定角度を有するブラシ部  を備えたことを特徴とするフレキシブル歯ブラシ。
【請求項２】
前記把柄部に対するブラシ部の角度は、３０度、又は６０度、又は９０度であることを特徴とする請求項１に記載のフレキシブル歯ブラシ。
【請求項３】
前記把柄部に対するブラシ部の角度は、前記ブラシ部に対して外側に３０度、又は６０度、又は９０度であることを特徴とする請求項１に記載のフレキシブル歯ブラシ。
【請求項４】
刷毛が植毛されたブラシ部と、
孔部を備え、前記ブラシ部とは別体の把柄部と、
前記ブラシ部に取り付けられ、前記把柄部の孔部に圧入する固定部材と、
を備え、前記ブラシ部に取り付けられた前記固定部材は、鉤状であることを特徴とする歯ブラシ。